(57)【要約】      （修正有）【課題】歯科作業模型基台を迅速且つ容易に行なうことができる成形型を提供する。【解決手段】軟質材料からなる本体１０底面に硬質材料からなる補助プレート２０が接合され、補助プレート２０の上面に咬合器の固定台に対応する構造が設けられる。本考案の構造によって、硬化後の石膏を容易に離型し、基台を咬合器の固定台に即座に接合することができる。更にストッパブロックを本体１０内に設置し、石膏を本体１０に充填する範囲を調整でき、基台の製作範囲を調整できる。【選択図】図１
0003140959.tif 000002
【実用新案登録請求の範囲】
【請求項１】
複数の定位溝が設けられる底面と、一側が前記底面の外縁と接続される外壁と、前記底面および外縁によって定義される収容空間と、からなり、軟質材料から構成される本体と、
補助プレートの底面に設けられ、前記各定位溝に対応して設けられ、各定位溝に挿入される複数の定位リブと、前記補助プレートの上面に設けられる少なくとも一つの凸部と、前記補助プレートと接合され、前記補助プレートの上面から突出する突出部と、前記突出部内に接合される磁性部材と、からなり、硬質材料から構成され、その周囲は前記外壁内側に支持され、前記底面の上方に設置される補助プレートと、
を備えることを特徴とする歯科作業模型基台の成形型。
【請求項２】
前記突出部上には、第１の接合部が設けられ、前記補助プレートには第２の接合部が設けられ、前記第１の接合部と第２の接合部とはお互いに対応して接合されることを特徴とする請求項１記載の歯科作業模型基台の成形型。
【請求項３】
前記第１の接合部は、ねじ山部であり、前記第２の接合部は、前記ねじ山部に対応するねじ穴であることを特徴とする請求項２記載の歯科作業模型基台の成形型。
【請求項４】
前記突出部上には、被吸着部材が接合されることを特徴とする請求項２または３記載の歯科作業模型基台の成形型。
【請求項５】
前記被吸着部材は、磁性部材または金属部材であることを特徴とする請求項４記載の歯科作業模型基台の成形型。
【請求項６】
前記収容空間内には、更にピン付き石膏プレートが接合され、前記ピン付き石膏プレートは複数のピンを備えることを特徴とする請求項１記載の歯科作業模型基台の成形型。
【請求項７】
前記収容空間内には、更にストッパ板が設置され、前記ストッパ板には複数のピン孔が設けられ、前記ストッパ板は前記ピン付き石膏プレートと接合されることを特徴とする請求項６記載の歯科作業模型基台の成形型。
【請求項８】
前記成形型は、更にストッパブロックを備えることを特徴とする請求項７記載の歯科作業模型基台の成形型。
【請求項９】
前記ストッパブロックの底面には、少なくとも一つの凹陥部が設けられ、前記凹陥部の位置は前記補助プレート上の凸部に対応することを特徴とする請求項８記載の歯科作業模型基台の成形型。
【考案の詳細な説明】
【技術分野】
【０００１】
本考案は歯科作業模型基台の成形型に関する。
【背景技術】
【０００２】
従来技術において、歯科作業模型基台は咬合器の固定台に固定されるので、咬合器の固定台には対称の成形型および磁石が設けられ、成形型に石膏が充填され、被吸着部材および歯牙模型が組合わされて歯科作業模型が完成する。基台には鉄板が接合されており、基台と歯牙模型とが一体に接合されて鉄板を有する歯科作業模型が完成される。この歯科作業模型は鉄板を有するので、磁石の磁性によって前述の咬合器の固定台に容易に設置することができる。しかし、上述の従来技術は迅速な製造および量産には適合せず、離型も困難であり、品質も優れない。また、基台の製作範囲を選択できず、改良の余地があった。
【０００３】
上述の問題に鑑み、本考案の考案者は長年に渡る経験からついに本考案の歯科作業模型基台の成形型を案出した。
【特許文献１】特開平６−９０９６８号公報
【考案の開示】
【考案が解決しようとする課題】
【０００４】
本考案の目的は、歯科作業模型基台を迅速且つ容易に製作することができる成形型を提供することにある。
【課題を解決するための手段】
【０００５】
上述の課題を解決するために、本考案は、本体底面に定位溝および咬合器の固定台の形状に合わせて設計される構造が設けられ、製造される基台を直接従来技術による咬合器に接合できる歯科作業模型基台の成形型を提供するものである。特に、補助プレートを備え、補助プレートの底面には本体底面の形状に符合した定位リブが設けられ、それによって補助プレートを本体底面に接合することができる。補助プレートの上面は咬合器の固定台の外形に対応しているので、補助プレートを設置した後に形成される基台は咬合器と接合することができる。また、本体が軟質材料から構成され、補助プレートが硬質材料から構成されるので、離型時、使用者が指で底部を上方に押圧して補助プレートを上方に移動させ、本体外壁を外側に湾曲させることによって基台を容易に取り出すことができ、従来技術と比較して離型操作が容易であり、精密な基台を製造することができる。
【０００６】
補助プレートは突出部を有し、補助プレートの他側の上面から突出している。突出部は円柱凸部が好ましく、円柱凸部は中実または中央に中空部を有する形状とすることができる。突出部および補助プレートは一体成型するか、または突出部を補助プレートに接合した構造とすることができる。突出部の外側には第１の接合部が設けられ、第１の接合部と補助プレートの第２の接合部とは相互に対応し、突出部を可動状態で補助プレート上に接合することができる。第１の接合部および第２の接合部は一般の掛合方式または螺合方式などの方式を採用でき、設置および製造が容易である。突出部内には磁性部材が接合され、磁性部材は磁石であり、磁性部材は突出部上部の金属板を吸着するので、石膏を成形型に充填したとき、金属板が基台内に確実に固定される。
【０００７】
本考案を実施するとき、本考案の成形型内にストッパ板を設置し、ストッパ板とピン付き石膏プレートのピン端部とを接合し、石膏を充填し、硬化してから離型してストッパ板を取り除いた後、ストッパ板による空洞が形成され、その空洞からピンの端部を観察することができ、各ピンの位置およびそれに対応する各歯牙模型の位置を観察するのに便利になっている。
【０００８】
歯の一部または義歯を利用して作業模型を製造する場合、本考案においてはストッパブロックを収容空間内に設置することによって石膏の流動空間を制限でき、一部分の基台を製造することができ、材料の浪費がなく、製作時間を節約できる。
【考案の効果】
【０００９】
本体が軟質材料から構成され、補助プレートが硬質材料から構成されるので、離型時、使用者が指で底部を上方に押圧して補助プレートを上方に移動させ、本体外壁を外側に湾曲させることによって基台を容易に取り出すことができ、従来技術と比較して離型操作が容易であり、精密な基台を製造することができる。
ストッパブロックを収容空間内に設置することによって石膏の流動空間を制限でき、一部分の基台を製造することができ、材料の浪費がなく、製作時間を節約できる。
【考案を実施するための最良の形態】
【００１０】
本考案の目的、特徴および効果を示す実施例を図に沿って詳細に説明する。
【００１１】
図１から図５に示すように、本考案は歯科作業模型基台の成形型を提供するものであり、本体１０および補助プレート２０を備える。本体１０は軟質材料から構成され、底面１２、外壁１４および収容空間１６を備える。底面１２には複数の定位溝１２２が設けられ、外壁１４の一側は底面１２の外縁と接続され、収容空間１６は外壁１４および底面１２によって定義される。
【００１２】
図３、４、５に示すように、補助プレート２０は硬質材料から構成され、底面１２の上方に設置され、外壁１４内側によって支持される。補助プレート２０は複数の定位リブ２２、少なくとも一つの凸部２４、突出部２５および磁性部材２６を備える。複数のリブ２２は補助プレート２０の底面に設けられ、本体底面１２の定位溝１２２に対応して設けられ、それによって、補助プレート２０を収容空間１６に設置するとき、各定位リブ２２を対応する各定位溝１２２に挿入し、補助プレート２０を底面１２に安定的に接合することができる。また、凸部２４は補助プレート２０の上面に設けられ、磁性部材２６は突出部２５内に接合される。突出部２５は補助プレート２０の一側上面から突出し、突出部２５は円柱凸部が好ましく、円柱凸部は中実または中央に中空部を有する構造とすることができる。突出部２５および補助プレート２０は一体成型（図３を参照）または突出部２５を補助プレート２０と接合する構造（図４を参照）とすることができる。図４に示すように、突出部２５上には第１の接合部２５１が設けられ、補助プレート２０上には第１の接合部２５１に対応する第２の接合部２０２が設けられる。第１の接合部２５１はねじ山部とすることができ、第２の接合部２０２はねじ山部に対応するねじ穴とすることができ、それによってお互いが螺合される。当然、その他の掛合装置などの接合装置を設けた構造とすることもでき、突出部２５または磁性部材２６が補助プレート２０と接合される構造または装置が設けられればよい。
【００１３】
図６、７、８に示すように、石膏を収容空間１６に充填し、乾燥させて離型後、底面の形状が形成された基台Ｓ１、Ｓ２が完成する。
【００１４】
また、図９から図１１に示すように、突出部２５上端部に鉄板または鉄合金などの磁石に吸着する金属片またはネオジム、鉄、ホウ素、サマリウム、コバルトまたはアルミニウムなどの磁性部材からなる被吸着部材２５２を設置することができる。それによって本考案の成形型に石膏を充填した後、被吸着部材２５２は直接基台内に被覆され、作業模型を咬合器の固定台に設置するとき、固定台の磁石によって吸着されて定位される。本考案においてはピン付き石膏プレート５０を組合せて基台Ｓ５を製造することができ、ピン付き石膏プレート５０の一側面は複数の定位ブロックまたは定位溝を備え、複数のピンＤが接合される。定位ブロックまたは定位溝は石膏を充填したとき、基台Ｓ５に複数の定位ブロックまたは定位溝を生成するのに使用され、同時に、定位ブロックまたは定位溝はピンＤと組合わされて各歯牙模型の位置を決定するのに使用される。
【００１５】
本考案の構造を利用し、ピン付き石膏プレート５０を収容空間１６に設置し、石膏を充填し、乾燥してから離型した後、基台Ｓ５にはピン付き石膏プレート５０の複数の定位ブロックまたは定位溝および針穴Ｓ５１が形成される。図１０に示すように、上層のピン付き石膏プレート５０が下層の基台Ｓ５と接合された後、歯牙模型Ｓ６を上層のピン付き石膏プレート５０に粘着し、上層が歯牙模型Ｓ６、中層がピン付き石膏プレート５０、下層が基台Ｓ５である作業模型（図１０を参照）が完成し、技師は前述の定位ブロックまたは定位溝の位置に基づいてピンＤおよびそれに固定される単一の歯牙模型を切断し、歯牙模型Ｓ６を基台Ｓ５の針穴Ｓ５１に出し入れすることができるので、診断に便利であり、従来技術によるものよりも基台を迅速に製造することができ、大量生産に適合し、手間および製作時間も軽減される。
【００１６】
図１０、１１に示すように、本考案は更に収容空間１６内にストッパ板３０を設置することができ、ストッパ板３０は複数のピン孔３２を備え、それぞれピン付き石膏プレート５０のピンＤ端部を被覆するのに使用され、石膏が乾燥した後、ストッパ板３０を基台Ｓ５から分離すると、基台の底部に各ピン端部に沿って中空空間Ｓ５２が形成され、ここから各ピン端部を観察でき、使用時、各歯牙模型の正確な位置を把握でき、正確に切断できる。
【００１７】
また、図１２から図１７に示すように、本考案は更にストッパブロック４０を備え、ストッパブロック４０は収容空間１６内に設置され、ストッパブロック４０によって石膏を充填した後、石膏はストッパブロック４０が無い空間にのみ充填されるので、必要な部分のみを製造することができ、石膏を浪費することがない。当然、前述のストッパブロック４０は任意の形状または任意の位置に設置することができ、例えば図１２、１３に示すように、収容空間１６の半分にストッパブロック４０を設置した場合、基台Ｓ３は図１４に示すような形状となり、図１５、１６に示すように、ストッパブロック４０’を後側に設置したとき、製造される基台Ｓ４（図１７に示す）は前側の位置だけとなる。ストッパブロック４０は製作の必要に合わせて如何なる形状でもよい。
【００１８】
当然、図１５に示すように、ストッパブロック４０の底面には少なくとも一つの凹陥部４２が設けられ、凹陥部４２は補助プレート２０上の凸部２４の位置に合わせて設置され、それによって補助プレート２０と緊密に接合することができ、不必要な空間は形成されない。
【００１９】
以上の図面に示す内容は本考案の実施例を示すものであり、その運用範囲は広いが、構造が簡単であり、生産効率を高め、生産コストを低減することができ、産業上の利用価値を有する。
【図面の簡単な説明】
【００２０】
【図１】本考案の実施例を示す斜視図である。
【図２】本考案の実施例を示す上面図である。
【図３】本考案の実施例を示す分解斜視図である。
【図４】本考案の実施例を示す分解斜視図である。
【図５】本考案の実施例の補助プレートの底面を示す斜視図である。
【図６】本考案の実施例を示す断面図である。
【図７】本考案の実施例によって形成される基台を示す斜視図である。
【図８】本考案の実施例の補助プレートを設置して形成される基台を示す斜視図である。
【図９】本考案の実施例のピン付き石膏プレートを組合せた成形型を示す断面図である。
【図１０】図９によって形成された作業模型を示す斜視図である。
【図１１】本考案の実施例のストッパ板を接合する状態を示す分解斜視図である。
【図１２】本考案の実施例のストッパブロックを接合する状態を示す分解斜視図である。
【図１３】本考案の実施例のストッパブロックを接合した状態を示す斜視図である。
【図１４】図１３によって製造される基台を示す斜視図である。
【図１５】本考案の実施例のストッパブロックを接合する状態を示す分解斜視図である。
【図１６】本考案の実施例のストッパブロックを接合した状態を示す斜視図である。
【図１７】図１６によって製造される基台を示す斜視図である。
【符号の説明】
【００２１】
１０  本体
１２  底面
１２２  定位溝
１４  外壁
１６  収容空間
２０  補助プレート
２０２  第２の接合部
２２  定位リブ
２４  凸部
２５  突出部
２５１  第１の接合部
２５２  被吸着部材
２６  磁性部材
３０  ストッパ板
３２  ピン孔
４０、４０’  ストッパブロック
４２  凹陥部
５０  ピン付き石膏プレート
Ｄ  ピン
Ｓ１、Ｓ２、Ｓ３、Ｓ４、Ｓ５  基台
Ｓ５１  針穴
Ｓ５２  中空空間
Ｓ６  歯牙模型
【図１】
0003140959.tif 000003
【図２】
0003140959.tif 000004
【図３】
0003140959.tif 000005
【図４】
0003140959.tif 000006
【図５】
0003140959.tif 000007
【図６】
0003140959.tif 000008
【図７】
0003140959.tif 000009
【図８】
0003140959.tif 000010
【図９】
0003140959.tif 000011
【図１０】
0003140959.tif 000012
【図１１】
0003140959.tif 000013
【図１２】
0003140959.tif 000014
【図１３】
0003140959.tif 000015
【図１４】
0003140959.tif 000016
【図１５】
0003140959.tif 000017
【図１６】
0003140959.tif 000018
【図１７】
0003140959.tif 000019